(57)【要約】【課題】  経鼻チューブが胃に到達したのか否かを、安全、確実且つ低コストで確認することのできる、新規な経鼻チューブ先端位置確認装置並びにこれを用いた経鼻チューブ先端位置確認方法の開発を技術課題とした。【解決手段】  ほぼ密閉された空間を構成する筐体と、この筐体から外部に連通し、且つ患者Ｐの体内に挿入される経鼻チューブ６の基端側と接続される接続部と、前記筐体内に配置されるセンサエレメントと、このセンサエレメントが受ける空圧変化を電気信号として出力する電子回路と、電子回路からの出力を受けて前記空圧変化を認識可能状態に表示する表示手段５とを具えて成ることを特徴として成る。【選択図】図１
2015016137.tif 000002
【特許請求の範囲】
【請求項１】
ほぼ密閉された空間を構成する筐体と、この筐体から外部に連通し、且つ患者の体内に挿入される経鼻チューブの基端側と接続される接続部と、前記筐体内に配置されるセンサエレメントと、このセンサエレメントが受ける空圧変化を電気信号として出力する電子回路と、電子回路からの出力を受けて前記空圧変化を認識可能状態に表示する表示手段と、を具えて成ることを特徴とする経鼻チューブ先端位置確認装置。
【請求項２】
前記センサエレメントと経鼻チューブとの間には、通気性を有するとともに通水性を有しないフィルタが具えられていることを特徴とする請求項１記載の経鼻チューブ先端位置確認装置。
【請求項３】
前記経鼻チューブの基端側と接続部との間には、バクテリアやウィルスを遮断可能なフィルタが具えられていることを特徴とする請求項１または２記載の経鼻チューブ先端位置確認装置。
【請求項４】
経鼻チューブを患者の鼻腔から食道を経て胃に挿入し、患者への経管栄養補給を行うにあたり、経鼻チューブの先端部位が適切な挿入状態にあるか否を、前記請求項１記載の経鼻チューブ先端位置確認装置を用いて確認する方法であって、経鼻チューブの基端側を接続部に接続し、筐体内に配置されたセンサエレメントに対し、胃の空圧変化が伝達される状態として経鼻チューブをプローブとして機能させ、患者の腹部を外部から押圧することにより、胃に空圧変化を生じさせ、この空圧変化をセンサエレメントに感知させ、センサエレメントが空圧変化を受けたことを表示手段に表示させ、この表示の状態により、経鼻チューブが適切な位置に挿入されたか否かを判別するとともに、適切な位置に挿入されたときには経鼻チューブの基端側を接続部から外して、経鼻チューブを経鼻経管栄養に供するようにしたことを特徴とする経鼻チューブ先端位置確認方法。
【請求項５】
前記センサエレメントと経鼻チューブとの間に、通気性を有するとともに通水性を有しないフィルタを設けることを特徴とする請求項４記載の経鼻チューブ先端位置確認方法。
【請求項６】
前記経鼻チューブの基端側と接続部との間には、バクテリアやウィルスを遮断可能なフィルタを設けることを特徴とする請求項４または５記載の経鼻チューブ先端位置確認方法。
【発明の詳細な説明】
【技術分野】
【０００１】
本発明は経鼻経管栄養等における経鼻チューブの先端位置確認に関するものであって、特に経鼻チューブが胃に到達したのか否かを、安全且つ確実に確認することのできる経鼻チューブ先端位置確認装置並びにこれを用いた経鼻チューブ先端位置確認方法に係るものである。
【背景技術】
【０００２】
従来より医療現場において、飲食物の経口摂取が困難な患者に対しては、経鼻経管栄養と呼ばれる方法によって飲食物を直接胃に供給することが行われている。具体的には、患者の鼻腔から柔らかな経鼻チューブを挿入し、その先端部を胃まで到達させ、このチューブの基端部から、流動食や栄養剤を注入するといったものである（例えば特許文献１参照）。
このような経鼻経管栄養においては、潤滑ゼリーを塗布した経鼻チューブを鼻孔に挿入し、少しずつ経鼻チューブの先端部を奥へ送りながら、患者に嚥下動作を繰り返してもらい、経鼻チューブの先端部を食道側へ導いて胃に到達させるものである。
しかしながら人間の喉の奥は、気管と食道の二つの流路に分岐しているため、このような経鼻チューブの挿入作業は非常に難しく、飲食物等が肺に入ってしまった場合には、誤嚥性肺炎等を起こしてしまうこともあるため、経鼻チューブの先端部が胃まで到達したことの確認作業が必須となっている。
【０００３】
このような確認作業は、簡易的には経鼻チューブに勢い良く少量の空気を供給し、胃液から生じる泡沫音を、聴診器で聴取することによって行われている。
しかしながら経鼻チューブの先端部が誤って肺内に位置してしまっている場合であっても、胃内で観測される泡沫音と紛らわしい音が聴取されることがある。このためレントゲン撮影にて確認することが推奨されているものの、微量ではあるものの被ばくは避けられなく、もとより在宅医療等ではレントゲン撮影を行うことは不可能である。
【０００４】
このため現実には、上述の泡沫音の確認と併せて胃内容物や胃液、二酸化炭素を確認することが行われている。
まず胃内容物や胃液をシリンジで吸引してｐＨを確認することにより、経鼻チューブの先端部が胃まで到達したことを確認することができるが、実際に胃液を吸引することができるケースは５０％以下と低く、更に制酸剤を服用している患者には適用することができない。
また色の変化によって二酸化炭素を確認することのできる使い捨ての検知管を、経鼻チューブが２０ｃｍ程挿入された状態で用いることにより、経鼻チューブの先端部が気管に誤挿入されていることを確認することができるが、検知管のコストが嵩んでしまうことは避けられない。
【先行技術文献】
【特許文献】
【０００５】
【特許文献１】特開２００５−１６０５３４号公報
【発明の概要】
【発明が解決しようとする課題】
【０００６】
本発明はこのような背景を考慮してなされたものであって、経鼻チューブが胃に到達したのか否かを、安全、確実且つ低コストで確認することのできる、新規な経鼻チューブ先端位置確認装置並びにこれを用いた経鼻チューブ先端位置確認方法の開発を技術課題としたものである。
【課題を解決するための手段】
【０００７】
すなわち請求項１記載の経鼻チューブ先端位置確認装置は、ほぼ密閉された空間を構成する筐体と、この筐体から外部に連通し、且つ患者の体内に挿入される経鼻チューブの基端側と接続される接続部と、前記筐体内に配置されるセンサエレメントと、このセンサエレメントが受ける空圧変化を電気信号として出力する電子回路と、電子回路からの出力を受けて前記空圧変化を認識可能状態に表示する表示手段とを具えて成ることを特徴として成るものである。
【０００８】
また請求項２記載の経鼻チューブ先端位置確認装置は、前記請求項１記載の要件に加え、前記センサエレメントと経鼻チューブとの間には、通気性を有するとともに通水性を有しないフィルタが具えられていることを特徴として成るものである。
【０００９】
更にまた請求項３記載の経鼻チューブ先端位置確認装置は、前記請求項１または２記載の要件に加え、前記経鼻チューブの基端側と接続部との間には、バクテリアやウィルスを遮断可能なフィルタが具えられていることを特徴として成るものである。
【００１０】
更にまた請求項４記載の経鼻チューブ先端位置確認方法は、経鼻チューブを患者の鼻腔から食道を経て胃に挿入し、患者への経管栄養補給を行うにあたり、経鼻チューブの先端部位が適切な挿入状態にあるか否を、前記請求項１記載の経鼻チューブ先端位置確認装置を用いて確認する方法であって、経鼻チューブの基端側を接続部に接続し、筐体内に配置されたセンサエレメントに対し、胃の空圧変化が伝達される状態として経鼻チューブをプローブとして機能させ、患者の腹部を外部から押圧することにより、胃に空圧変化を生じさせ、この空圧変化をセンサエレメントに感知させ、センサエレメントが空圧変化を受けたことを表示手段に表示させ、この表示の状態により、経鼻チューブが適切な位置に挿入されたか否かを判別するとともに、適切な位置に挿入されたときには経鼻チューブの基端側を接続部から外して、経鼻チューブを経鼻経管栄養に供するようにしたことを特徴として成るものである。
【００１１】
更にまた請求項５記載の経鼻チューブ先端位置確認方法は、前記請求項４記載の要件に加え、前記センサエレメントと経鼻チューブとの間に、通気性を有するとともに通水性を有しないフィルタを設けることを特徴として成るものである。
【００１２】
更にまた請求項６記載の経鼻チューブ先端位置確認方法は、前記請求項４または５記載の要件に加え、前記経鼻チューブの基端側と接続部との間には、バクテリアやウィルスを遮断可能なフィルタを設けることを特徴として成るものである。
そしてこれら各請求項記載の発明を手段として前記課題の解決が図られる。
【発明の効果】
【００１３】
まず請求項１記載の発明によれば、経鼻チューブを患者の鼻腔から挿入した状態で、患者の腹部を外部から押圧することにより、胃に空圧変化を生じさせ、これをセンサエレメントに感知させ、センサエレメントが空圧変化を受けたことを表示手段に表示させ、この表示の状態により、経鼻チューブが適切な位置に挿入されたか否かを判別することができる。
【００１４】
また請求項２記載の発明によれば、経鼻チューブを通じて逆流した患者の体液が、直接センサエレメントに接することを回避することができるため、センサエレメントの誤操作を防止するとともに、その寿命を縮めてしまうことを防ぐことができる。
【００１５】
更にまた請求項３記載の発明によれば、筐体内にバクテリアやウィルスが侵入してしまうことを回避して、二次感染を回避することができるとともに、洗浄等のメンテナンスを容易にすることができる。
【００１６】
また請求項４記載の発明によれば、経鼻チューブを患者の鼻腔から挿入した状態で、患者の腹部を外部から押圧することにより、胃に空圧変化を生じさせ、これをセンサエレメントに感知させ、センサエレメントが空圧変化を受けたことを表示手段に表示させ、この表示の状態により、経鼻チューブが適切な位置に挿入されたか否かを判別することができる。
【００１７】
また請求項５記載の発明によれば、経鼻チューブを通じて逆流した患者の体液が、直接センサエレメントに接することを回避することができるため、センサエレメントの誤操作を防止するとともに、その寿命を縮めてしまうことを防ぐことができる。
【００１８】
更にまた請求項６記載の発明によれば、筐体内にバクテリアやウィルスが侵入してしまうことを回避して、二次感染を回避することができるとともに、洗浄等のメンテナンスを容易にすることができる。
【図面の簡単な説明】
【００１９】
【図１】本発明の経鼻チューブ先端位置確認装置を患者に適用した様子を一部透視して示す斜視図である。
【図２】本発明の経鼻チューブ先端位置確認装置を示す分解斜視図である。
【図３】センサエレメントと経鼻チューブとの接続形態を示す平面図である。
【図４】経鼻チューブの先端が正しく胃内に位置した状態で、呼吸を止めたときの表示装置の画面、大きく呼吸したときの表示装置の画面及び指で胃の部分を押圧したときの表示装置の画面を示す写真である。
【発明を実施するための形態】
【００２０】
本発明の経鼻チューブ先端位置確認装置並びにこれを用いた経鼻チューブ先端位置確認方法の最良の形態は以下に示すとおりであるが、この形態に対して本発明の技術的思想の範囲内において適宜変更を加えることも可能である。
【実施例】
【００２１】
図中、符号１で示すものは本発明の経鼻チューブ先端位置確認装置であり、このものは、ほぼ密閉された空間を構成する筐体１０と、この筐体１０から外部に連通し、且つ患者Ｐの体内に挿入される経鼻チューブ６の基端側と接続される接続部２と、前記筐体１０内に配置されるセンサエレメント３と、このセンサエレメント３が受ける空圧変化を電気信号として出力する電子回路３１と、電子回路３１からの出力を受けて前記空圧変化を認識可能状態に表示する表示手段５とを具えて成るものである。
以下、経鼻チューブ先端位置確認装置１の構成要素について詳しく説明する。
【００２２】
まず前記筐体１０は、経鼻チューブ先端位置確認装置１の構成部材を収容する部材であって、片手で保持することができる程度の外形寸法に設定されたものである。
また筐体１０の上面には表示枠１１が開口されており、更に一つの側面には円筒状の接続部２が筐体１０の内部空間に連通した状態となるように具えられる。なお接続部２については、筐体１０と一体成型してもよいが、後述するように接続部２に経鼻チューブ６及び管体９が接続されることを考慮すると、図１に示すように細径部２１と太径部２２とが形成されたものを別部材として用意するのが好ましい。
【００２３】
また前記センサエレメント３は、経鼻チューブ６の管内空間を通じて伝搬してくる空気振動を感知するための素子である。そしてセンサエレメント３及び各種電子部品によって構成される電子回路３１が基板上に搭載されてセンサモジュール３０が構成される。
なお前記電子回路３１は、オペアンプ等を具えて成るものであり、センサエレメント３の出力を適宜増幅する等して、後述するプロセッサ５２の入力信号のスペックに適合した出力信号を得るものである。
【００２４】
なおこの実施例では、前記センサエレメント３として一例として焦電センサが適用されるものであり、空気は微小な圧力変化で温度変化を生じることを利用して、検出された微小な温度変化から圧力変化を導出するような処理が行われるものとした。
ここで焦電センサに用いられている焦電素子について説明すると、誘電体の一種に焦電体（チタン酸ジルコン酸鉛等）というものがあり、この焦電体は赤外線を受けると、熱エネルギーを吸収して自発分極に変化が生じ、その変化量に比例して表面に電荷が誘起されることとなる（焦電効果）。この特性を利用して赤外線を含む光を感知する（変化を見る）ものが焦電センサである。
この実施例では一例として、前記センサエレメント３として富士セラミックス社製、ＦＫＳ−ＨＭ０２を適用した。因みにこの実施例で示されるセンサモジュール３０は、１パスカルの変化を検出できるものである。
【００２５】
なおセンサエレメント３としては、圧力センサまたはマイクロフォンを適用するようにしてもよく、この場合のマイクロフォンとしては、ダイナミックマイク、コンデンサマイク等が挙げられる。
【００２６】
また前記表示手段５は、一例として液晶、有機ＥＬ等が適用された表示装置５０と、この表示装置５０を駆動するためのドライバ回路５１と、前記センサモジュール３０からの入力信号を処理して表示装置５０の規格に適合した出力信号を生成するためのプロセッサ５２とを具えて成るものである。
なお前記プロセッサ５２によってバンドパスフィルタ処理を行い、心拍に近い１Ｈｚ付近の周波数成分を除去したり、呼吸に近い０．６Ｈｚ付近の周波数成分を除去するようにして波形の平滑化を図るようにしてもよい。
【００２７】
また前記経鼻チューブ６は、外径６〜１０Ｆｒ（１Ｆｒ＝１／３ｍｍ）程度の柔軟な樹脂チューブが適用されるものであり、一例としてシリコンゴム製のものが採用されるが、塩化ビニール、ポリウレタン製のものを採用することもできる。
【００２８】
そしてこれらセンサモジュール３０及び表示手段５を前記筐体１０内に収容するものであり、この際、センサエレメント３と、接続部２における太径部２２とを、図３（ａ）に示すように管体９によって連結するものとする。このような構成とすることにより、接続部２の細径部２１に接続される経鼻チューブ６内の圧力変動が、センサエレメント３に対してダイレクトに伝わることとなり、ノイズの少ない測定が可能となる。
また経鼻チューブ６を通じて筐体１０内に患者Ｐの体液等が逆流した場合に、この体液等が直接センサエレメント３に接することのないように、空気は通すが液体を通さない素材が適用された逆流防止材９０を、経鼻チューブ６とセンサエレメント３との間に介在させる。図３（ａ）に示す実施例では、一例として管体９中に逆流防止材９０を配するようにした。なお逆流防止材９０は、前記センサエレメント３による圧力変動の検知能力を著しく低下させてしまうことがない程度の通気性を有するものである。
このような逆流防止材９０としては、ポリテトラフルオロエチレンのフィルムとポリウレタンポリマーを複合化して作成された、ＷＬゴア＆アソシエイツ社（日本ゴア株式会社）製ゴアテックス（登録商標）等が適用される。
【００２９】
更に前記経鼻チューブ６の基端側と接続部２との間には、バクテリアやウィルスを遮断可能なフィルタ７が設けられる。
このフィルタ７は、中空状の収容体７０に対して、前記経鼻チューブ６の内径よりも細径の接続管７１と、前記接続部２における細径部２１の外径よりも太径の接続管７２が形成され、収容体７０内にフィルタエレメント７３が具えられて成るものである。
前記フィルタエレメント７３は、バクテリアやウィルスを遮断可能であって、且つ前記センサエレメント３による圧力変動の検知能力を著しく低下させてしまうことがない程度の通気性を有するフィルタ材である。このように空気は通すが菌を通さない素材としては、具体的には特殊加工が施されれた不織布等が挙げられるものであり、一例として岐阜プラスチック工業社製、医療エアフィルタ（ＴＰＦ−１１）が適用される。
なお上記フィルタエレメント７３を交換式としてもよいが、消毒・洗浄等のメンテナンスとコストとを考慮すると、フィルタ７全体をディスポーザブルとすることが望ましい。
また収容体７０内には、フィルタエレメント７３に加えて、前記逆流防止材９０を配するようにしてもよい。
【００３０】
また前記筐体１０内には、前記表示手段５及びセンサモジュール３０の電源となる電池８が収容されるものであり、この電池８をセットするための電池ボックス８０が具えられる。
【００３１】
本発明の経鼻チューブ先端位置確認装置１は、一例として上述のような構成要素を組み付けることにより構成されるものであり、以下、この装置を用いた経鼻チューブ先端位置確認方法について説明する。
【００３２】
〔経鼻チューブの挿入〕
まず、患者Ｐの鼻腔Ｃから胃Ｓまでのおおよその長さを、患者Ｐの体に経鼻チューブ６を沿わせるようにして測り、鼻腔Ｃ出口付近となる部位に油性インク等でマーキングＭを付しておく。
次いで経鼻チューブ６の先端に適宜ゼリー状の麻酔薬を塗布してから鼻腔Ｃに挿入し、順次送り込んで挿入を進めてゆき、前記マーキングＭの部位まで挿入する。
この際、胃Ｓの内容物等が逆流しないように、経鼻チューブ６の適宜の位置を折り曲げて（クランプ）、流路を遮断しておくことが好ましい。
なお患者Ｐに嚥下動作を行ってもらうことにより、経鼻チューブ６の挿入が、より円滑に行われることとなる。
【００３３】
〔経鼻チューブ先端位置確認装置のセッティング〕
次いで経鼻チューブ６の基端を、フィルタ７の接続管７１に繋ぐとともに、接続管７２を接続部２の細径部２１に繋ぎ、続いて経鼻チューブ先端位置確認装置１の電源をオンにして起動する。
【００３４】
〔腹部の押圧と波形確認〕
そして前記折り曲げ（クランプ）を解除し、患者Ｐの胃Ｓの部分を外側から指で軽くたたく（押圧する）ものであり、経鼻チューブ６の先端が正しく胃Ｓ内に位置しているときには、表示手段５において図４（ｃ）に示すような押圧に追随した波形が確認される。
このようにして経鼻チューブ６の先端が正しく胃Ｓ内に位置していることが確認されたときには、プローブとして機能していた経鼻チューブ６の基端側をフィルタ７から取り外して、経鼻チューブ６を用いた飲食物や薬剤の投与が行われることとなる。
【００３５】
一方、経鼻チューブ６の先端が誤って気管Ｔや肺Ｌ内に位置しているときには、表示手段５において押圧による反応は確認されることがなく、図４（ａ）に示す呼吸を停止したときの波形あるいは図４（ｂ）に示す大きく呼吸をしているときの波形に近い波形が確認される。
そしてこの場合、経鼻チューブ６を引き戻して再度挿入操作を行い、再度前述の波形確認が行われる。
【００３６】
〔胃の内容物等の逆流があった場合の対処〕
なお経鼻チューブ６が経鼻チューブ先端位置確認装置１に接続された状態で、胃Ｓの内容物等の逆流があった場合には、逆流防止材９０によって液体の通過が阻止されるため、センサエレメント３の損傷を回避することができるものであり、その後、逆流防止材９０の交換を行うものとする。
【００３７】
〔装置の取り外しとメンテナンス〕
そして次回の使用に具えて、経鼻チューブ先端位置確認装置１のメンテナンスが行われるものであり、フィルタ７の接続管７２を接続部２の細径部２１から外すとともに、接続部２を適宜アルコール等の消毒液を用いて消毒する。
なお前記フィルタ７については、その内部に患者Ｐの体内からバクテリアやウィルス、血液、体液等が入り込んでいる可能性があるため、廃棄処分するものとする。  
【００３８】
〔他の形態例〕
本発明は以上述べた実施例を基本となる実施例とするものであるが、本発明の技術的思想にの範囲内において適宜変更を加えることも可能である。
具体的には、図３（ｂ）に示すように、筐体１０内に、密閉された検知室９１を設け、この検知室９１内にセンサモジュール３０を配するような形態を採ることができる。この場合、検知室９１の一部に接続部２を形成し、この接続部２を筐体１０の外部に突出させるとともに、ここにフィルタ７または経鼻チューブ６を接続するようにする。また接続部２の内側には逆流防止材９０が貼設される。
【符号の説明】
【００３９】
１    経鼻チューブ先端位置確認装置
１０  筐体
１１  表示枠
２    接続部
２１  細径部
２２  太径部
３    センサエレメント
３０  センサモジュール
３１  電子回路
５    表示手段
５０  表示装置
５１  ドライバ回路
５２  プロセッサ
６    経鼻チューブ
７    フィルタ
７０  収容体
７１  接続管
７２  接続管
７３  フィルタエレメント
８    電池
８０  電池ボックス
９    管体
９０  逆流防止材
９１  検知室
Ｂ    腹
Ｃ    鼻腔
Ｅ    食道
Ｌ    肺
Ｍ    マーキング
Ｐ    患者
Ｓ    胃
Ｔ    気管
【図１】
2015016137.tif 000003
【図２】
2015016137.tif 000004
【図３】
2015016137.tif 000005
【図４】
2015016137.tif 000006